(57)【要約】【課題】  商品の表面印刷に埋め込まれた電子透かしからＩＤコードを読取るような電子透かし読取装置において、予め設定された利用者のみが電子透かしを読取れるよう、読み取りの対象範囲を限定できる電子透かし読取装置を提供することを課題とする。【解決手段】  暗号化した電子透かしを読み取り（Ｓ１２）、電子透かし読取装置に装着したＩＣカード内の暗号鍵で復号化し（Ｓ２２）、かつ復号化したコードに含まれる判別コードをＩＣカード内の判別鍵と照合し（Ｓ２４）、「合」のときのみ復号化した結果を出力することにより（Ｓ２５）、電子透かし読取装置が読み取る対象の範囲を自在に設定できる。【選択図】図５
2010124355.tif 000002
【特許請求の範囲】
【請求項１】
暗号化された情報を電子透かしとして埋め込んだ画像から抽出した電子透かしデータを復号する復号処理部を備えた電子透かし読み取り装置であって
暗号化された暗号化情報が電子透かしとして埋め込まれた画像を撮像してデジタルデータとして入力する入力手段と、
前記入力手段で入力されたデジタルデータから電子透かしとなった暗号化情報を抽出する画像処理手段と、
前記復号処理部に格納された鍵を用いて抽出した暗号化情報を復号した復号情報を生成し、更に前記復号処理部に格納された判別鍵と前記復号情報に含まれる判別データとを照合し、判別結果を判別情報として出力する判定処理手段と、
前記判定処理手段から出力された前記判別情報に基づいて読み取り結果を表示する表示手段と、
を備えることを特徴とする電子透かし読み取り装置。
【請求項２】
前記復号処理部は、ＩＣカードであることを特徴とする請求項１に記載の電子透かし読み取り装置。
【発明の詳細な説明】
【技術分野】
【０００１】
本発明は、画像から電子透かしを読み取り、埋め込まれた情報を抽出する読取装置に関する。
【背景技術】
【０００２】
商品管理や流通管理などの分野で、ハンディ端末により個々の商品のＩＤを読み取り、商品情報を一括管理するなどの手法は、既に広く行なわれている。商品のＩＤの代表的なものはバーコードである。また、このような用途で最近着目されてきたものに電子透かしがある。
電子透かしは、必要な情報を画像に埋め込むため、例えば商品のＩＤでは、商品の意匠を邪魔することなく、また購買者の目に触れることなく、情報を付加できることが大きな特徴である。
【０００３】
このような特徴を活かす電子透かしと読取装置の用途は種々考えられており、ＩＤカードの写真部の電子透かしを読み取ることによりカードのセキュリティの向上を図る例（特許文献１）、あるいは携帯電話の画像読み取りおよび通信機能と組み合せ、電子透かし読取機能を持つ通信端末を構成する例（特許文献２）などがある。
【特許文献１】特開２００１−１３８６７３号公報
【特許文献２】特開２００４−１７９７８３号公報
【０００４】
例えば、特許文献２では、応用例として、携帯電話で電子透かし入り画像を読み取り、取り出されたＩＤをキーとして通信手段を介してＩＤ情報データベースにアクセスし、関連情報を利用者に提供する、などを挙げている。
【発明の開示】
【発明が解決しようとする課題】
【０００５】
このような用途では、不特定、広範なサービスのため、電子透かしに埋め込まれたＩＤ情報は隠すことなく読み取られてよいが、一方で、製品のシリアルのように、限られた範囲での読み取りが望まれる場合も多々ある。
本発明は、上記のような限定された範囲の読み取りのための電子透かし読取装置を提供しようとするものであり、小型で携帯可能な形で実現することを課題とする。
【課題を解決するための手段】
【０００６】
上記課題を解決するための本発明の電子透かし読取装置は、
暗号化された情報を電子透かしとして埋め込んだ画像から抽出した電子透かしデータを復号する復号処理部を備え、
暗号化された暗号化情報が電子透かしとして埋め込まれた画像を撮像してデジタルデータとして入力する入力手段と、前記入力手段で入力されたデジタルデータから電子透かしとなった暗号化情報を抽出する画像処理手段と、前記復号処理部に格納された鍵を用いて抽出した暗号化情報を復号した復号情報を生成し、更に前記復号処理部に格納された判別鍵と前記復号情報に含まれる判別データとを照合し、判別結果を判別情報として出力する判定処理手段と、前記判定処理手段から出力された前記判別情報に基づいて読み取り結果を表示する表示手段と、
を備えることにより、限定された利用者のみ読み取り可能なような電子透かし読取装置を実現する。
また、電子透かしデータを復号する復号処理には、ＩＣカードを用い、ＩＣカードが具備するセキュリティレベルの高さと、暗号処理能力を活用することにより、セキュリティ性の高い電子透かし読取装置とすることを特徴とする。
【発明の効果】
【０００７】
本発明によれば、判別鍵により読み取り範囲を制限できるため、他者に盗み読まれることなく特定の利用者のみが読み取り可能な電子透かしを提供できる。また同じアルゴリズムを使った電子透かしを複数用途、利用者に提供するような運用も可能となる。
さらに、ＩＣカードの交換により暗号ロジックの交換もできるため、利用者は暗号ロジックを切替ながら長期に渡って電子透かし読取装置（および関連システム）を使い続けることができ、システム全体のコスト低減が可能となる。
【発明を実施するための最良の形態】
【０００８】
以下、本発明の実施形態について、図面を参照しながら説明する。
図１に、本発明の電子透かし読取装置の一形態を示す。
図２は同読取装置の機能ブロック図である。
図１の電子透かし読取装置は、商品管理のような用途を想定し携帯可能なハンディ型としており、読み取りの対象となる画像２０に撮像部（図１には表れない）を向け操作ボタン１２を操作することにより読み取りを行なう。
図２の入力手段５は、撮像部１５から電子透かしを含む画像２０を光学的に取り込み、画像データに変換する機能を持つ。
画像処理手段６は、ＣＰＵを核とする演算機能から成り、電子透かしの抽出などの画像処理に関する機能を始め、入出力や信号処理など、電子透かし読取装置１０全体の制御を担う。
【０００９】
画像処理手段６により抽出された電子透かしは後述の手順に従い、判定処理手段８により秘密鍵により復号されるとともに判別鍵と照合される。
表示手段７は、液晶画面などから成る表示部１１を持ち、前記照合の結果や、その他電子透かし読取装置１０の操作に必要な情報を表示部１１に表示する。
操作ボタン１２は利用者による操作指示を操作信号として情報処理部１６に伝達するためのものである。
【００１０】
なお、これらの機能は、画像処理手段６のＣＰＵが、予め設定されたプログラムを実行することにより実現される。
また、図には示していないが、電子透かし読取装置１０にＢｌｕｅｔｏｏｔｈなどの通信手段を組み込むことは容易であり、外部のホストコンピュータなどと通信で結ぶことにより在庫管理などに展開できる。
【００１１】
また、本発明の電子透かし読取装置１０では、判定処理手段８としてＩＣカードを用いることを特徴としており、さらにＩＣカード１３は、小型機器への装着に適し、差し替えも容易な小型のＩＣカード（ＳＩＭと呼ばれる）としており、以降の説明もＳＩＭを用いながら行なう。したがって、図１のＩＣカード１３の形態もＳＩＭの形状で示しており、また、電子透かし読取装置１０にはＳＩＭ形状のＩＣカードを装着するためのＩＣカード挿入口１７が備えられている。
【００１２】
図３（Ａ）にＳＩＭの外観を示す。
ＳＩＭ（Ｓｕｂｓｃｒｉｂｅｒ  Ｉｄｅｎｔｉｔｙ  Ｍｏｄｕｌｅ）は、一般的には、長辺Ｌ１が２５ｍｍ程度、短辺Ｌ２が１５ｍｍ程度に形成されている。厚みは、１．０ｍｍ以内で通常は０．７６ｍｍの均一な薄板状のものである。
【００１３】
ＳＩＭの本来的目的は、携帯電話サービスの利用目的で開発されたが、クレジットカードサイズのＩＣカードと同等の機能を持ち、例えばクレジット決済で扱う個人識別情報などを暗号化して登録することも可能となっている。なお、図３（Ａ）に示すＳＩＭ３１は、接触型であって、端子板３３を有し、したがって電子透かし読取装置１０内には端子板３３に対向する接触用コンタクトピンが備わる。
ＳＩＭは通常のＩＣカードと同様の工程により同様の製造装置で製造可能とするため、図３（Ｂ）に示すように、通常のＩＣカードと同一サイズ、同一形状のＩＣカード３５上に形成され、ＳＩＭ３１の周囲に溝３０ｍと折り線３０ｋを形成して、必要によりＩＣカード３５から折り取りできるようにされている。なお、図３（Ｂ）では、接触端子板３３はカードの裏面側に位置している。
【００１４】
図４にＳＩＭのブロック図を示す。一般に、ＳＩＭはＳＩＭ全体を制御するＣＰＵと、不揮発性メモリであるＲＯＭと、電気的に書き換え可能な不揮発性メモリであるＥＥＰＲＯＭを備え、外部機器と情報を授受するために通信インターフェースを持つ。ＲＯＭにはＣＰＵを動作させるプログラムやＯＳなど、また、ＥＥＰＲＯＭにはパラメータや鍵などが格納される。ＳＩＭに搭載される基本プログラムやＯＳは、高セキュリティ性や暗号処理に特化して構成されており、本発明の実施形態に適した特性を持つ。
【００１５】
本発明の電子透かし読取装置に係わるＳＩＭ３１では、復号処理３８１、判別処理３８２などのプログラム類がＲＯＭ３８に、また、秘密鍵３９１、判別鍵３９２など書き換える可能性のあるデータ類はＥＥＰＲＯＭ３９に格納される。通信インターフェース３７は、ＳＩＭ３１においては図３に示すように端子板３３を持つ接触型となる。
【００１６】
図５に本発明の電子透かし読取装置の動作フローを示す。
なお、ここでは読み取りの対象を製品ＩＤと想定して処理手順を詳説する。
電子透かし読取装置１０は、操作ボタン１２が操作ボタンから読み取りの指示があると（Ｓ１１）、撮像部１５から画像を取り込み、画像データに変換する（Ｓ１２）。
次に、取り込まれた画像データから画像処理手段６により電子透かしが抽出される。すなわち、電子透かしを含む画像データから、まず、予め定められたアルゴリズムで電子透かしが分離され（Ｓ１３）、さらに、電子透かし画像からコード情報が復元される（Ｓ１４）。ただし、復元されたコード情報は暗号化された状態（暗号化情報）である。
【００１７】
暗号化情報は判定処理手段であるＳＩＭに送られ（Ｓ１５）、ＳＩＭ内で復号化されるが、ＳＩＭには暗号化情報を解くための秘密鍵３９１が格納されており、この鍵とＳＩＭの演算機能（復号処理３８１）とにより暗号化情報が復号化され（Ｓ２２）、復号化情報が生成される。同復号化情報は、さらに、判別鍵３９２と照合され、復号化情報が読み取るべき対象であったか否かが判断される。
【００１８】
図６は、前記復号化情報と判別鍵の関係を示したものであり、例えば、復号化情報が２バイト（１６ビット）のデータで、予め、上位８ビットを製品ＩＤ、下位８ビットを判別データ（判別ＩＤ）３９３と定めてあるとすると（Ｓ２３）、判別処理３８２にて下位８ビットと判別鍵３９２（８ビット）とが比較され、「一致」または「不一致」が判定される（Ｓ２４）。
【００１９】
図５のＳ２４における判定結果が「一致」であれば、前記製品ＩＤは「正当」として同ＩＤがＳＩＭから送信され（Ｓ２５、Ｓ２６）、また「不一致」であれば「不正」としてエラーコード等が送信される（Ｓ２７、Ｓ２６）。
以上の結果から、画像処理手段６は受信した（Ｓ１６）コードから表示のための情報を生成し（Ｓ１７）、表示手段７を駆動して表示する（Ｓ１８）。
【００２０】
このように、電子透かしに製品ＩＤと判別ＩＤを暗号化して埋め込み、ＩＣカードで復号することにより、特定した利用者のみに読み取りが可能となる電子透かし読取装置を提供することができる。また、容易に交換可能なＩＣカードは、鍵や暗号アルゴリズムの変更を容易にし、高いセキュリティ性や高い利便性の実現に有効である。
なお、上記動作フローでは説明のために電子透かしのデータ長を１６ビットとしているが、データ長は暗号種類や暗号強度等の事情により種々設定できる。また、暗号鍵は秘密鍵方式に限らず、公開鍵方式でもよい。
【図面の簡単な説明】
【００２１】
【図１】電子透かし読取装置の外観図
【図２】電子透かし読取装置の機能ブロック図
【図３】ＳＩＭの外観図
【図４】ＳＩＭのブロック図
【図５】電子透かし読取装置の動作フロー図
【図６】復号化情報および判別鍵の様態を示す図
【符号の説明】
【００２２】
５    入力手段
６    画像処理手段
７    表示手段
８    判定処理手段
１０    電子透かし読取装置
１１    表示部
１２    操作ボタン
１３    ＩＣカード
２０    画像
３１    ＳＩＭ
３３    端子板
３５    ＩＣカード
３６    ＣＰＵ
３７    通信インターフェース
３８    ＲＯＭ
３９    ＥＥＰＲＯＭ
３８１    復号処理
３８２    判別処理
３９１    秘密鍵
３９２    判別鍵
【図１】
2010124355.tif 000003
【図２】
2010124355.tif 000004
【図３】
2010124355.tif 000005
【図４】
2010124355.tif 000006
【図５】
2010124355.tif 000007
【図６】
2010124355.tif 000008